(57)【要約】【課題】  使い勝手が良く、かつ取り扱いが容易で、商品価値の高い洗濯バサミおよびそれを備えた物干し具を提供する。【解決手段】  手で摘まんで操作する摘み部９を囲う可撓性を有する合成樹脂製の絡み防止カバー１２を、摘み部９の外形に沿わせて摘み部９の外周に密着させて固定させた。従って、絡み防止カバー１２を洗濯バサミ４と一体化させることができる。これにより、使用時に絡み防止カバー１２が摘み部９に対してずれることがないので、洗濯バサミ４の操作性が良く、使い勝手が良い。また、絡み防止カバー１２をユーザが洗濯バサミ４に個別に取り付ける必要がないので、取り扱いが簡単で、商品価値を高めることができる。【選択図】        図２
0003212423.tif 000002
【実用新案登録請求の範囲】
【請求項１】
手で摘まんで操作するための摘み部の外周を囲う可撓性を有する合成樹脂製の絡み防止カバーを、前記摘み部の外形に沿わせて前記摘み部の外周に密着させて固定させたことを特徴とする洗濯バサミ。
【請求項２】
請求項１に記載の洗濯バサミにおいて、前記絡み防止カバーは、可撓性を有する熱収縮性の合成樹脂で、前記摘み部の外形に合わせて熱収縮によって前記摘み部の外周に密着して固定されていることを特徴とする洗濯バサミ。
【請求項３】
請求項１に記載の洗濯バサミにおいて、前記絡み防止カバーは、前記摘み部の外形に密着して弾接した状態で固定されていることを特徴とする洗濯バサミ。
【請求項４】
請求項１〜請求項３のいずれかに記載の洗濯バサミにおいて、前記絡み防止カバーは、前記摘み部の回転中心部とこの回転中心部から離れた前記摘み部の端部との間における前記摘み部の外周を覆い、かつ前記摘み部の前記端部側が開放されていることを特徴とする洗濯バサミ。
【請求項５】
請求項１〜請求項３のいずれかに記載の洗濯バサミにおいて、前記絡み防止カバーは、前記摘み部の回転中心部から前記摘み部の端部を経てその端部側に延長され、この延長された延長部が前記端部の開き間隔よりも小さく絞られて開放されていることを特徴とする洗濯バサミ。
【請求項６】
請求項１〜請求項５のいずれかに記載された洗濯バサミを備えていることを特徴とする物干し具。
【考案の詳細な説明】
【技術分野】
【０００１】
この考案は、洗濯物を挟んで吊るす洗濯バサミおよびそれを備えた物干し具に関する。
【背景技術】
【０００２】
例えば、洗濯バサミにおいては、特許文献１に記載されているように、手で摘んで操作する摘み部に洗濯物が引っ掛かったり、絡んだりするのを防止するものが知られている。
【先行技術文献】
【特許文献】
【０００３】
【特許文献１】実用新案登録第３２００１４７号公報
【０００４】
この種の洗濯バサミは、手で摘んで操作する摘み部にこれよりも大きい筒状または袋状の絡み防止カバーを被せた構造になっている。この絡み防止カバーは、洗濯物を挟む挟み部を外部に露出させた状態で、摘み部を覆うようになっている。
【考案の概要】
【考案が解決しようとする課題】
【０００５】
しかしながら、このような洗濯バサミでは、絡み防止カバーを手で摘む摘み部に被せて、挟み部を外部に露出させた構造であるから、摘み部を摘まんで洗濯物を挟み部で挟んだり外したりする際に、摘み部に対して絡み防止カバーがずれ易いため、摘み部による摘み操作性が悪く、使い勝手が悪いという不都合がある。
【０００６】
この考案が解決しようとする課題は、使い勝手が良く、かつ取り扱いが容易で、商品価値の高い洗濯バサミおよびそれを備えた物干し具を提供することである。
【課題を解決するための手段】
【０００７】
請求項１に記載の考案は、手で摘まんで操作するための摘み部の外周を囲う可撓性を有する合成樹脂製の絡み防止カバーを、前記摘み部の外形に沿わせて前記摘み部の外周に密着させて固定させたことを特徴とする洗濯バサミである。
請求項２に記載の考案は、請求項１に記載の洗濯バサミにおいて、前記絡み防止カバーは、可撓性を有する熱収縮性の合成樹脂で、前記摘み部の外形に合わせて熱収縮によって前記摘み部の外周に密着して固定されていることを特徴とする洗濯バサミである。
請求項３に記載の考案は、請求項１に記載の洗濯バサミにおいて、前記絡み防止カバーは、前記摘み部の外形に密着して弾接した状態で固定されていることを特徴とする洗濯バサミである。
請求項４に記載の考案は、請求項１〜請求項３のいずれかに記載の洗濯バサミにおいて、前記絡み防止カバーは、前記摘み部の回転中心部とこの回転中心部から離れた前記摘み部の端部との間における前記摘み部の外周を覆い、かつ前記摘み部の前記端部側が開放されていることを特徴とする洗濯バサミである。
請求項５に記載の考案は、請求項１〜請求項３のいずれかに記載の洗濯バサミにおいて、前記絡み防止カバーは、前記摘み部の回転中心部から前記摘み部の端部を経てその端部側に延長され、この延長された延長部が前記端部の開き間隔よりも小さく絞られて開放されていることを特徴とする洗濯バサミである。
請求項６に記載の考案は、請求項１〜請求項５のいずれかに記載された洗濯バサミを備えていることを特徴とする物干し具である。
【考案の効果】
【０００８】
この考案によれば、絡み防止カバーを洗濯バサミと一体化させることができるので、使い勝手が良く、かつ取り扱いが容易で、商品価値を高めることができる。
【図面の簡単な説明】
【０００９】
【図１】この考案を適用した物干し具の一実施形態を示した斜視図である。
【図２】図１に示された物干し具の洗濯バサミを示した拡大斜視図である。
【図３】この考案を適用した洗濯バサミの変形例を示した拡大斜視図である。
【考案を実施するための形態】
【００１０】
以下、図１および図２を参照して、この考案を適用した物干し具の一実施形態について説明する。
この物干し具１は、図１に示すように、物干しハンガーであり、ほぼ長方形の枠状のハンガー本体２と、このハンガー本体２を吊り下げるためのフック部材３と、ハンガー本体２に吊り下げられた複数の洗濯バサミ４と、を備えている。
【００１１】
枠状のハンガー本体２は、図１に示すように、その長手方向に沿う両側の中間部が一対のヒンジ部５によって折り曲げ可能に連結されている。これにより、ハンガー本体２は、一対のヒンジ部５を中心に回転して２つに折れ曲がって重なり合うようになっている。フック部材３は、ハンガー本体２の４隅からハンガー本体２の中心部における上方に向けて延びる４本の支持棒６と、これら４本の支持棒６におけるハンガー本体２の中心部側に位置する各端部が連結されるフック部７と、を備えている。
【００１２】
これにより、物干し具１は、図１に示すように、２つに折り曲げられたハンガー本体２が一対のヒンジ部５を中心に回転してほぼ長方形に展開された際に、フック部材３の４本の支持棒６がフック部７をハンガー本体２の中心部の上方に押し上げ、この押し上げられたフック部７を物干し竿などに引っ掛けることにより、ハンガー本体２が吊り下げられるようになっている。
【００１３】
洗濯バサミ４は、図１および図２に示すように、洗濯物を挟む挟み部８と、ユーザが手で摘んで挟み部８を開閉させるための摘み部９と、挟み部８および摘み部９の回転中心部である支点部１０と、この支点部１０を中心に挟み部８を互いに当接させる方向に付勢するリング状のばね部１１と、を備えている。
【００１４】
これにより、洗濯バサミ４は、図２に示すように、リング状のばね部１１のばね力によって支点部１０を中心に挟み部８を回転させて互いに弾接させると共に、摘み部９を互いに離れる方向に回転させて開くようになっている。また、この洗濯バサミ４は、リング状のばね部１１のばね力に抗して摘み部９を互いに接近させる方向に操作させると、支点部１０を中心に挟み部８が互いに離れる方向に回転して開くようになっている。
【００１５】
また、この洗濯バサミ４は、図２に示すように、その摘み部９の外周を覆う絡み防止カバー１２を備えている。この絡み防止カバー１２は、例えば塩化ビニル樹脂などの可撓性を有する熱収縮性の合成樹脂で形成されている。この絡み防止カバー１２は、その素材シートの厚みが０．３ｍｍ〜１．５ｍｍの範囲で、好ましくは約１．０ｍｍの厚さで形成されている。
【００１６】
また、この絡み防止カバー１２は、図２に示すように、摘み部９の外周を囲った状態で、摘み部９の外周の形状に沿わせて熱収縮によって摘み部９の外周に密着して固定されている。すなわち、この絡み防止カバー１２は、挟み部８がばね部１１のばね力で互いに当接して摘み部９が互いに離れて開いた状態で、その摘み部９の外周を覆い、この状態で蒸気などの高温の気体で加熱して熱収縮されることにより、摘み部９の外周に密着して固定されている。
【００１７】
つまり、この絡み防止カバー１２は、図２に示すように、摘み部９の外周を覆った状態で熱収縮された際に、開いた状態の摘み部９の外周にその形状に合わせて密着して固定されている。すなわち、この絡み防止カバー１２は、支点部１０からその反対側に離れる摘み部９の端部９ａに向けて広がる形状に合わせて密着して固定されている。このため、洗濯バサミ４は、絡み防止カバー１２が透明な合成樹脂で形成されていなくても、摘み部９の端部９ａをユーザが視認できる。
【００１８】
この場合、絡み防止カバー１２は、図２に示すように、摘み部９の回転中心である支点部１０とこの支点部１０から離れた摘み部９の端部９ａとの間における摘み部９の外周にこれを囲って配置されている。また、この絡み防止カバー１２は、摘み部９の端部９ａ側に開放部１２ａが設けられている。
【００１９】
これにより、この絡み防止カバー１２は、図２に示すように、その厚みが厚くても、摘み部９を手で摘んでばね部１１のばね力に抗して互いに接近させる方向に操作する際に、その操作を妨げることなく、弾力的に変形するように形成されている。また、この絡み防止カバー１２には、紫外線を遮断する紫外線カット層（図示せず）が設けられていることが望ましい。
【００２０】
また、この洗濯バサミ４は、図１および図２に示すように、これを物干し具１のハンガー本体２に吊り下げるための吊下げ部材１３を備えている。この吊下げ部材１３は、金属線や鎖などであり、摘み部９の端部９ａ側に位置する絡み防止カバー１２の開放部１２ａを通して、一端部がリング状のばね部１１に取り付けられ、他端部がハンガー本体２に取り付けられている。これにより、ハンガー本体２には、複数の洗濯バサミ４がそれぞれ吊下げ部材１３によって所定間隔で吊り下げられている。
【００２１】
次に、このような物干し具１の作用について説明する。
まず、洗濯バサミ４に絡み防止カバー１２を取り付ける場合には、絡み防止カバー１２の素材シートを開いた状態の摘み部９が挿入する大きさのほぼ長方形の筒状に形成し、この筒状の素材シート内に摘み部９を挿入させる。この状態では、摘み部９の支点部１０側に位置する素材シートとこれに対する摘み部９の外周との間に広い隙間が生じ、摘み部９の端部９ａ側に向かうに従って次第に隙間が狭くなっている。
【００２２】
この状態で、筒状の素材シートを熱収縮させる。このときには、摘み部９の支点部１０側に位置する隙間の広い箇所の素材シートを大きく収縮させ、摘み部９の端部９ａ側に向かうに従って徐々に素材シートの収縮量を小さくする。これにより、筒状の素材シートが摘み部９の周囲に位置する外面に密着して固定される。この結果、絡み防止カバー１２が摘み部９の外周を囲んだ状態で摘み部９の外周に固定されて洗濯バサミ４と一体化される。
【００２３】
このような洗濯バサミ４を備えた物干し具１で洗濯物を干さない場合には、枠状のハンガー本体２を一対のヒンジ部５で２つに折り曲げて重ね合わせることにより、コンパクトに収納することができる。このときには、複数の洗濯バサミ４がそれぞれ吊下げ部材１３によってハンガー本体２に吊り下げられていても、洗濯バサミ４の絡み防止カバー１２によって、洗濯バサミ４が他の洗濯バサミ４や物干し具１の４本の支持棒６に絡み合うことがない。
【００２４】
すなわち、洗濯バサミ４は、その摘み部９の外周が支点部１０から摘み部９の端部９ａに亘って絡み防止カバー１２によって覆われていることにより、摘み部９が開いた状態であっても、この開いた摘み部９に他の洗濯バサミ４の摘み部９や他の洗濯バサミ４の吊下げ部材１３または物干し具１の４本の支持棒６などが絡み付くことがない。このため、ハンガー本体２を２つに折り畳んでも、洗濯バサミ４に他の洗濯バサミ４や４本の支持棒６が絡み付くことがないので、物干し具１を良好に収納することができる。
【００２５】
また、この物干し具１を使用する際には、まず、ハンガー本体２のヒンジ部５を中心に２つに折り曲げられたハンガー本体２を回転させてほぼ長方形に展開させる。このときにも、洗濯バサミ４の摘み部９の外周が絡み防止カバー１２によって覆われているので、開いた状態の摘み部９に他の洗濯バサミ４の摘み部９や他の洗濯バサミ４の吊下げ部材１３が絡み付くことがない。このため、ハンガー本体２を簡単にかつ容易に展開させて、フック部材３のフック部７を物干し竿などに吊り下げることができるので、使い勝手が良い。
【００２６】
この状態で、洗濯バサミ４に洗濯物を吊り下げる際には、洗濯バサミ４のばね部１１のばね力に抗して摘み部９を絡み防止カバー１２と共に互いに接近させる方向に操作させると、絡み防止カバー１２が摘み部９の操作を妨げることなく弾性変形しながら、支点部１０を中心に挟み部８を互いに離れる方向に回転させて開くことができる。これにより、開いた状態の挟み部８に洗濯物を差し込んで挟むことができる。
【００２７】
このときには、絡み防止カバー１２の素材シートの厚みが約１．０ｍｍと厚くても、摘み部９の操作に応じて絡み防止カバー１２が確実にかつ円滑に弾性変形するので、絡み防止カバー１２によって摘み部９の操作が妨げられることがない。このため、摘み部９を絡み防止カバー１２と共に良好に操作することができる。また、このときには、絡み防止カバー１２が透明な合成樹脂で形成されていなくても、洗濯バサミ４の摘み部９の端部９ａをユーザが視認できるので、摘み部９を容易に操作して挟み部８で洗濯物を良好に挟むことができる。
【００２８】
すなわち、絡み防止カバー１２は、挟み部８がばね部１１のばね力で互いに当接して摘み部９が互いに離れて開いた状態で、その摘み部９の外周を覆って熱収縮されていることにより、開いた状態の摘み部９の外周にその形状に合わせて密着して固定または固着されているため、絡み防止カバー１２が透明な合成樹脂で形成されていなくても、摘み部９の端部９ａをユーザが容易に視認できる。このため、洗濯物を容易にかつ良好に干すことができる。
【００２９】
このように、この物干し具１の洗濯バサミ４によれば、手で摘まんで操作する摘み部９を囲う可撓性を有する合成樹脂製の絡み防止カバー１２を、摘み部９の外形に沿わせて摘み部９の外周に密着させて固定させたことにより、絡み防止カバー１２を洗濯バサミ４と一体化させることができ、これにより使い勝手が良く、かつ取り扱いが容易にでき、商品価値を高めることができる。
【００３０】
すなわち、この洗濯バサミ４では、絡み防止カバー１２を摘み部９に固定させて、絡み防止カバー１２を洗濯バサミ４と一体化させたので、使用時にユーザが摘み部９を摘まんで操作する際に、絡み防止カバー１２が摘み部９に対して位置ずれを起こすることがない。このため、洗濯バサミ４の操作性が良く、使い勝手が良い。また、絡み防止カバー１２を洗濯バサミ４と一体化させているので、絡み防止カバー１２をユーザが摘み部９に個別に取り付ける必要がないので、取り扱いが簡単で、商品価値を高めることができる。
【００３１】
また、この洗濯バサミ４では、絡み防止カバー１２が熱収縮性の合成樹脂で、摘み部９の外形に沿わせて熱収縮によって摘み部９の外周に密着されて固定されているので、絡み防止カバー１２を摘み部９の外周にその外形に合わせて確実にかつ容易に密着させることができ、これにより絡み防止カバー１２を簡単にかつ良好に洗濯バサミ４と一体化させることができるので、生産性が良く、工場などで容易に製作することができる。
【００３２】
この場合、絡み防止カバー１２は、摘み部９の回転中心部である支点部１０とこの支点部１０から離れた摘み部９の端部９ａとの間における摘み部９の外周を囲い、かつ摘み部９の端部９ａ側に開放部１２ａが設けられていることにより、摘み部９の端部９ａ側の開放部１２ａを通して、吊下げ部材１３の一端部を洗濯バサミ４に取り付け、他端部を物干し具１のハンガー本体２に取り付けることができる。
【００３３】
これにより、この洗濯バサミ４では、吊下げ部材１３によって物干し具１のハンガー本体２に簡単に取り付けることができるほか、絡み防止カバー１２が摘み部９の支点部１０から摘み部９の端部９ａに亘って摘み部９の外周を覆っているので、吊下げ部材１３の一端部が支点部１０側から抜け出して他の洗濯バサミ４に絡み付くのを確実に防ぐことができるので、これによっても使い勝手が良い。
【００３４】
なお、上述した実施形態では、絡み防止カバー１２が摘み部９の支点部１０と摘み部９の端部９ａとの間における摘み部９の外周を覆うようにした場合について述べたが、この考案は、これに限らず、例えば図３に示す変形例のように、絡み防止カバー２０を形成しても良い。
【００３５】
すなわち、この変形例の絡み防止カバー２０は、図３に示すように、摘み部９の回転中心部である支点部１０から摘み部９の端部９ａを経てその端部９ａ側に延長された延長部２０ａを有し、この延長部２０ａに開放部２０ｂを摘み部９の端部９ａの開き間隔よりも小さく絞って設けた構成になっている。
【００３６】
このような絡み防止カバー２０では、摘み部９の端部９ａ側に延長された延長部２０ａを有しているので、他の洗濯バサミ４の摘み部９や他の洗濯バサミ４の吊下げ部材１３に対する絡み付きを、上述した実施形態の絡み防止カバー１２よりも、確実にかつ良好に防ぐことができる。
【００３７】
また、上述した実施形態および変形例では、絡み防止カバー１２、２０が熱収縮性の合成樹脂を用いて熱収縮によって摘み部９の外周に固定させた場合について述べたが、この考案は、これに限らず、例えば絡み防止カバー１２、２０を予め可撓性を有する合成樹脂製で摘み部９の外形に合わせて形成し、この形成された絡み防止カバー１２、２０を摘み部９の外周に密着させて弾接させた状態で固定させても良い。
【００３８】
この場合には、開いた状態の摘み部９の外形と同じ形状の金型で絡み防止カバー１２、２０を形成し、この形成された絡み防止カバー１２、２０を摘み部９の外周に装着させて、ばね部１１のばね力で押し広げられた摘み部９を絡み防止カバー１２、２０に弾接させることにより、絡み防止カバー１２、２０を摘み部９の外周に密着させて弾接させた状態で固定させれば良い。
【００３９】
また、この考案は、これに限らず、例えば、絡み防止カバー１２、２０をシリコーンゴム、ウレタンゴム、エラストマーなどの弾力性を有する合成樹脂で、摘み部９の外形よりも少し小さい形状で形成し、摘み部９の外周に弾力的に圧接させて固定させても良い。
【００４０】
以上、この考案の一実施形態について説明したが、この考案は、これに限られるものではなく、実用新案登録請求の範囲に記載された考案とその均等の範囲を含むものである。
以下に、本願の実用新案登録請求の範囲に記載された考案を付記する。
【００４１】
（付記）
請求項１に記載の考案は、手で摘まんで操作するための摘み部の外周を囲う可撓性を有する合成樹脂製の絡み防止カバーを、前記摘み部の外形に沿わせて前記摘み部の外周に密着させて固定させたことを特徴とする洗濯バサミ。
【００４２】
請求項２に記載の考案は、請求項１に記載の洗濯バサミにおいて、前記絡み防止カバーは、可撓性を有する熱収縮性の合成樹脂で、前記摘み部の外形に合わせて熱収縮によって前記摘み部の外周に密着して固定されていることを特徴とする洗濯バサミである。
【００４３】
請求項３に記載の考案は、請求項１に記載の洗濯バサミにおいて、前記絡み防止カバーは、前記摘み部の外周に密着して弾接した状態で固定されていることを特徴とする洗濯バサミである。
【００４４】
請求項４に記載の考案は、請求項１〜請求項３のいずれかに記載の洗濯バサミにおいて、前記絡み防止カバーは、前記摘み部の回転中心部とこの回転中心部から離れた前記摘み部の端部との間における前記摘み部の外周を覆い、かつ前記摘み部の前記端部側が開放されていることを特徴とする洗濯バサミである。
【００４５】
請求項５に記載の考案は、請求項１〜請求項３のいずれかに記載の洗濯バサミにおいて、前記絡み防止カバーは、前記摘み部の回転中心部から前記摘み部の端部を経てその端部側に延長され、この延長された延長部が前記端部の開き間隔よりも小さく絞られて開放されていることを特徴とする洗濯バサミである。
【００４６】
請求項６に記載の考案は、請求項１〜請求項５のいずれかに記載された洗濯バサミを備えていることを特徴とする物干し具である。
【符号の説明】
【００４７】
１  物干し具
２  ハンガー本体
３  フック部材
４  洗濯バサミ
５  ヒンジ部
６  支持棒
７  フック部
８  挟み部
９  摘み部
９ａ  端部
１０支点部
１１  ばね部
１２、２０  絡み防止カバー
１２ａ、２０ｂ  開放部
１３  吊下げ部材
２０ａ  延長部
【図１】
0003212423.tif 000003
【図２】
0003212423.tif 000004
【図３】
0003212423.tif 000005